(57)【特許請求の範囲】
【請求項１】
加熱源と、芳香材料を置く為に少なくとも芳香材料を置く面が平面に成型された、前記加熱源により前記芳香材料の燃焼温度より低い２００℃〜３００℃で加熱される、精煉度０〜３度かつ固定炭素８５％以上という性質を持つ炭を８０％以上含む被加熱体と、前記被加熱体を置く支持台と、を有する香炉。
【請求項２】
前記加熱源が電気ヒーターである事を特徴とする、請求項１記載の香炉。
【請求項３】
前記加熱源がキャンドルである事を特徴とする、請求項１記載の香炉。
【請求項４】
加熱源と、芳香材料を置く為に少なくとも芳香材料を置く面が平面に成型された、前記加熱源により前記芳香材料の燃焼温度より低い２００℃〜３００℃で加熱される、精煉度０〜３度かつ固定炭素８５％以上という性質を持つ炭を８０％以上含む被加熱体を、発火点未満の温度で燃焼させずに温め、前記被加熱体上に芳香材料を置き、香りをたたせる香炉の焚き方。
【発明の詳細な説明】
【技術分野】
【０００１】本発明は、芳香材料の香りを立たせる香炉及びその焚き方に関するものである。
【背景技術】
【０００２】  従来の香炉は、加熱源が炭であり、炭を燃焼させ、薫香を置き燻らせるという物や、燃焼させた炭を灰の中に埋め、前記灰の上に雲母を置き薫香を乗せ燻らせるという物である。【０００３】  以上に述べた従来の香炉では、次の問題点があった。炭を燃焼させるまでに時間を有する上、燃焼を維持する事が難しい。また、燃焼した炭の上では芳香材料自体が高温で加熱される為焦げてしまい、焦げ臭が混ざる。さらに炭の着火剤臭で芳香材料の香りが妨げられる。炭を灰に埋める利用は、温度調節が難しく、香りを立たせる事が容易ではない。【０００４】  そこで、炭の問題点を解消する為に、電気を加熱源とした香炉（例えば特許文献１及び２）、加熱温度を調整する香炉もある（例えば特許文献３）。
【先行技術文献】
【特許文献】
【０００５】
【特許文献１】  特許公開２０００−３００４２４
【０００６】
【特許文献２】  特許公開平０９−０００４２１
【０００７】
【特許文献３】  特許公開２００１−２３１６７７
【発明の概要】
【発明が解決しようとしている課題】
【０００８】  電気やキャンドルなどの加熱源が炭以外の場合、炭の問題点は解消され、温度調節も可能になるが、炭の遠赤外線効果が利用できない為、加熱により芳香成分の組織構造が変化し芳香材料自体の香りが損なわれる。
【０００９】  本発明はこのような従来の香炉が有していた問題を解決しようとするものであり、芳香材料自体の香りを引き出すことを目的とするものである。
【課題を解決する為の手段】
【００１０】  そして、本発明は上記目的を達成するために、加熱源と、芳香材料を置く為に少なくとも芳香材料を置く面が平面に成型された、前記加熱源により前記芳香材料の燃焼温度より低い２００℃〜３００℃で加熱される、精煉度０〜３度かつ固定炭素８５％以上という性質を持つ炭を８０％以上含む被加熱体と、前記被加熱体を置く支持台と、を有する香炉を開発したものである。
【００１１】  上記の課題解決手段による作用は次の通りである。従来の雲母や香皿に代わり、前記被加熱体を、発火しない温度で燃焼させずに加熱した上で芳香材料を焚く事で、炭の着火剤臭・芳香材料の焦げ臭を防ぐ。また、炭が遠赤外線効果を発揮しだす２００度以上に前記被加熱体を温め、芳香材料に作用させる事により、香り成分の組織破壊を起こさずに芳香材料自体の香りを引き出す。
【００１２】  また、第２の課題解決手段は、前記加熱源が電気である事を特徴とする香炉である。
【００１３】  第２の課題解決手段の作用は、設定した温度で被加熱体を燃焼させずに温める方法が容易になり、簡単安全に芳香材料の香りを引き出す最適温度を維持できる事である。
【００１４】  第３の課題解決手段は前記加熱源がキャンドルである事を特徴とする香炉である。
【００１５】  第３の課題解決手段の作用は、入手しやすい価格帯において一定の温度で被加熱体を燃焼させずに温める方法が容易になり、簡単安全に芳香材料の香りを引き出す最適温度を維持できる事である。
【００１６】  第４の課題解決手段は、加熱源で、芳香材料を置く為に少なくとも芳香材料を置く面が平面に成型された、前記加熱源により前記芳香材料の燃焼温度より低い２００℃〜３００℃で加熱される、（社）全国燃料協会規定の木炭規格による精煉度０〜３度かつ固定炭素８５％以上という性質を持つ炭を８０％以上含む被加熱体を、発火点未満の温度で燃焼させずに温め、前記被加熱体上に芳香材料を置き、香りをたたせる香炉の焚き方である。
【００１７】  第４の課題解決手段による作用は次の通りである。従来の雲母や香皿に代わり、前記被加熱体を、発火しない温度で燃焼させずに加熱した上で芳香材料を焚く事で、炭の着火剤臭・芳香材料の焦げ臭を防ぐ。また、炭が遠赤外線効果を発揮しだす２００度以上に前記被加熱体を温め、芳香材料に作用させる事により、香り成分の組織破壊を起こさずに芳香材料自体の香りを引き出す。
【００１８】上述したように本発明の香炉は、異臭を立たせる事なく芳香材料自体の香りを引き出す。
【図面の簡単な説明】
【００１９】
【図１】本発明において加熱源が電気である香炉の外観図
【図２】図１におけるＡ−Ａ線断面図
【図３】本発明において加熱源がキャンドルである香炉の外観図
【図４】図３におけるＢ−Ｂ線断面図
【発明を実施する為の形態】
【００２０】  以下、本発明の実施の形態を図１〜図４に基づいて説明する。
図１、２において、１は被加熱体、２は芳香材料、３は加熱源の電気により温められたヒーター面、４は温度調節つまみ、７は台座である。なお、被加熱体の支持台はヒーター面３と台座７である。
【００２１】  被加熱体１に使用される炭は、（社）全国燃料協会規定の木炭規格による精煉度０〜３度かつ固定炭素８５％以上という性質を持つ、白炭、備長炭、白炭様に焼いた竹炭等である。被加熱体１は、前記炭を少なくとも芳香材料を置く面を略平面に裁断または成型した炭、あるいは、粉末状、チップ状、またはスライス状にした前記炭を、一種類もしくは複合して８０％以上の配合率でアラビアゴム等で練りまたは貼り合わせ、少なくとも芳香材料を置く面を略平面に成型した物である。
なお、芳香材料をのせる面は略平面である必要があるが，加熱面は円形、台形等かたちは厭わない。また、被加熱体１の縦断面形状については、好ましくは熱伝導率を均一にする為に図１、２に示すように上下の両面が平行である事が望ましいが、半だ円状、波形状等、形状は任意でよい。
被加熱体１の劣化を防ぐ為に、被加熱体１の上に灰や雲母，あるいはその両方を敷いてもよい。
【００２２】  被加熱体１に使用される炭は、４４０〜４８２度と発火点が高くかつ着火しにくいという性質、２００度以上で遠赤外線効果を発揮し芳香成分を破壊せずに中心部まで加熱する性質をもつ。そこで、加熱源３により被加熱体１を発火しない温度で加熱し、２００度以上に温めた上で芳香材料を焚く方法をとる。黒炭等の被加熱体１以外の炭は発火点が低く着火しやすいため、加熱により燃焼してしまう場合があるので適さない。
【００２３】  芳香材料２は、フランキンセンス・ミルラ等の樹脂香、ローズ・スパイクナード・日本茶等のハーブ、ジュニパー・カルダモン等のスパイス、白檀・沈香等の香木、ロータス・ジャスミン等の精油、前記樹脂香・ハーブ・スパイス・香木・精油を混ぜた煉香・線香、である。
【００２４】  図１、２において、使用方法は例えば次の通りである。プラグをコンセントに差し込み、スイッチをオンにする。ヒーター面３に例えば３ｃｍ四方に上下両面をほぼ平行に成型した備長炭（精錬度０度、固定炭素９２％）である被加熱体１を直にのせる。約２０分加熱する。芳香材料２を被加熱体１上に直接のせる。
電熱コイル６によって加熱したヒーター面３からの熱伝導により、被加熱体上の任意の箇所が２００度〜３００度、好ましくは２３０度〜２８０度、さらに好ましくは２４０〜２６０度となった被加熱体１上に芳香材料２を置き、芳香材料２に適した温度で焚く事で、焦げ臭をたたせず芳香材料自体の香りをたたせることができた。
【００２５】  温度調節つまみ４を２５０度に設定し被加熱体上の所定の箇所の温度を測定すると、表１に示す結果となった。温度計測は熱電対及び赤外線温度計で行い、ほぼ同じ成果が得られた。
【００２６】
【表１】
0005839311.tif 000002
【００２７】  図３、４において、１は被加熱体、２は芳香材料、５は発熱源であるキャンドル、７は台座である。なお、被加熱体の支持台は台座７である。
キャンドル１はオイルキャンドルまたはろうそく等である。
台座７は、台座が高温になり誤って触れた場合に火傷を負う恐れがあるため、中央部分に穴の開いた物が望ましい。
【００２８】  図３、４において、使用方法は例えば次の通りである。台座７に例えば４×６ｃｍ方に上下両面をほぼ平行に成型した白炭様に焼いた竹炭（精錬度１、固定炭素９０％）である被加熱体１を置く。キャンドル５に点火し、台座７上の被加熱体１の下にセットする。その際、被加熱体１が燃焼しないように、炎が被加熱体１に直に触れない位置にキャンドル５を置く。約１５分加熱する。芳香材料２を被加熱体１上に灰等を敷いた上にのせる。
被加熱体上の任意の箇所が２００〜３００度、好ましくは２３０〜２８０度、さらに好ましくは２４０〜２６０度になるように温度計で計測しながら炎の位置を調整し、適温となった被加熱体１上で芳香材料２を焚く事で、焦げ臭をたたせず、芳香材料２自体の香りをたたせることができた。
【００２９】  支持台の高さが所定の高さの場合、キャンドル香炉を使用した際の、中央部に灰をのせた被加熱体上の所定の箇所の温度を測定すると表２に示す結果となった。温度計測は熱電対及び赤外線温度計で行い、ほぼ同じ成果が得られた。
【００３０】
【表２】
0005839311.tif 000003
【符号の説明】
【００３１】１  被加熱体
２  芳香材料
３  ヒーター面
４  温度調節つまみ
５  キャンドル
６  電熱コイル
７  台座
【要約】
【課題】従来の芳香材料の焚き方は、芳香材料自体の香りを楽しめないという問題点があった。これは、次に挙げる理由による。炭を加熱源とした場合、炭を燃焼させる事による着火剤臭、高温で焚く為におこる芳香材料の焦げ臭、芳香材料を焚く温度の維持の難しさのためである。炭以外の加熱源で焚いた場合は、炭の遠赤外線効果がない故、加熱により芳香成分の組織構造が変化してしまうためである。
【解決手段】加熱源と、芳香材料を置く為に少なくとも芳香材料を置く面が略平面に成型された、精煉度０〜３度かつ固定炭素８５％以上という性質を持つ炭を８０％以上含む被加熱体と、前記炭を置く支持台からなる香炉を利用し、芳香材料を焚く。
【選択図】図１【図１】
0005839311.tif 000004
【図２】
0005839311.tif 000005
【図３】
0005839311.tif 000006
【図４】
0005839311.tif 000007